(57)【特許請求の範囲】
【請求項１】
インストルメントパネルに形成されたヒーターコントロール装置設置部に取付部を介してマニュアルヒーターコントロール装置またはオートヒーターコントロール装置を選択的に取付けるヒーターコントロール装置取付構造において、
前記取付部が、インストルメントパネルのヒーターコントロール装置設置部に設けられたインストルメントパネル側内外取付部と、マニュアルヒーターコントロール装置またはオートヒーターコントロール装置に設けられたコントロール装置取付部とを備え、
前記インストルメントパネル側内外取付部が、ヒーターコントロール装置設置部に設けられた取付座部と、該取付座部に設けられた貫通孔と、該貫通孔の近傍に設けられたボスとを備え、該ボスは、パネル内側へ向けて突設されると共に、パネル外側に開口するボス孔を有し、
前記マニュアルヒーターコントロール装置のコントロール装置取付部が、前記取付座部へインストルメントパネルのパネル内側から当接可能な舌片部と、該舌片部に設けられて、前記貫通孔に合致するネジ孔と、前記ボスを収容可能なロケート孔とを備え、
前記オートヒーターコントロール装置のコントロール装置取付部が、前記取付座部へインストルメントパネルのパネル外側から当接可能な上記とは別の舌片部と、該舌片部に設けられて、前記貫通孔へ挿入可能なロケートピンと、前記ボスのボス孔に合致するネジ挿通孔とを備えることにより、
マニュアルヒーターコントロール装置をインストルメントパネルのパネル内側から当接配置してパネル外側からネジ止め可能で、且つ、オートヒーターコントロール装置をインストルメントパネルのパネル外側から当接配置してパネル外側からネジ止め可能に構成されたことを特徴とするヒーターコントロール装置取付構造。 
【発明の詳細な説明】
【技術分野】
【０００１】
この発明は、ヒーターコントロール装置取付構造に関するものである。
【背景技術】
【０００２】
自動車などの車両には、車室内の前部に、図４に示すようなインストルメントパネル１が設けられている。このインストルメントパネル１には、車幅方向の中央部分などにヒーターコントロール装置設置部２が形成され、このヒーターコントロール装置設置部２には、図５、図６に示すように、マニュアルヒーターコントロール装置３またはオートヒーターコントロール装置４が選択的に取付けられる（例えば、特許文献１参照）。
【０００３】
ここで、マニュアルヒーターコントロール装置３は、インストルメントパネル１の内部に設置される図示しない空調制御システムと、ワイヤなどの機械的操作ケーブルを介して接続されるものであり、しかも、この機械的操作ケーブルは、空調制御システムに対して取外せないように予め連結されている。これに対し、オートヒーターコントロール装置４は、上記空調制御システムと、電気的信号ケーブルを介して接続されるものであり、この電気的信号ケーブルは、空調制御システムに対しコネクタを介して着脱可能に構成され、組付前にはこのコネクタは取外されている。
【０００４】
そして、ヒーターコントロール装置設置部２と、マニュアルヒーターコントロール装置３またはオートヒーターコントロール装置４との間には、取付部５が設けられている。この取付部５は、ヒーターコントロール装置設置部２に設けられたインストルメントパネル側取付部６と、マニュアルヒーターコントロール装置３またはオートヒーターコントロール装置４に設けられたコントロール装置側取付部７とを備えている。
【０００５】
このうち、インストルメントパネル側取付部６は、ヒーターコントロール装置設置部２の両側部に設けられた左右の取付座部８と、各取付座部８の上下の位置にそれぞれ設けられた合計４つのネジ挿通孔９と、上側の２つのネジ挿通孔９の近傍にそれぞれ設けられたロケート孔１０とを備えている。
【０００６】
これに対し、コントロール装置側取付部７は、マニュアルヒーターコントロール装置３またはオートヒーターコントロール装置４の両側部の４箇所のコーナー部の近傍から車幅方向へ突設されて、上記取付座部８へインストルメントパネル１のパネル内側１ａから当接可能な所要肉厚の舌片部１１と、各舌片部１１に設けられて、各ネジ挿通孔９とそれぞれ対応するネジ孔１２と、上側の２つの舌片部１１に設けられて上記各ロケート孔１０へインストルメントパネル１のパネル内側１ａから挿入可能なロケートピン１３とを備えている。なお、マニュアルヒーターコントロール装置３またはオートヒーターコントロール装置４の舌片部１１の近傍に、ヒーターコントロール装置設置部２の取付座部８に対する係止爪部１４を設けても良い。この係止爪部１４は、取付座部８をパネル外側１ｂから係止するものである。
【０００７】
そして、ヒーターコントロール装置設置部２にマニュアルヒーターコントロール装置３またはオートヒーターコントロール装置４を配設し、インストルメントパネル側取付部６の取付座部８へインストルメントパネル１のパネル内側１ａからコントロール装置側取付部７の舌片部１１を当接し、この時、ロケート孔１０へロケートピン１３を挿入することによってネジ挿通孔９とネジ孔１２とを位置決めし、両者間にパネル外側１ｂからネジ１５を螺着することにより、マニュアルヒーターコントロール装置３またはオートヒーターコントロール装置４がヒーターコントロール装置設置部２にネジ止め固定される。
【特許文献１】特開平０５−２７８４９９号公報
【発明の開示】
【発明が解決しようとする課題】
【０００８】
しかしながら、上記ヒーターコントロール装置取付構造では、マニュアルヒーターコントロール装置３とオートヒーターコントロール装置４の両方を、インストルメントパネル１のパネル内側１ａから取付けるようにしていたので、取付作業性が良くなかった。
【０００９】
ここで、マニュアルヒーターコントロール装置３については、機械的操作ケーブルが、空調制御システムに対して取外せないように予め連結されているので、自由度がなく、パネル内側１ａからの取付手段を変更することができないのに対し、オートヒーターコントロール装置４は、空調制御システムと、電気的信号ケーブルを介して接続されており、この電気的信号ケーブルは、空調制御システムに対しコネクタを介して着脱可能に構成され、組付前にはこのコネクタは取外されているので、自由度が高く、取付手段に改善の余地がある。
【課題を解決するための手段】
【００１０】
上記課題を解決するために、請求項１に記載された発明では、インストルメントパネルに形成されたヒーターコントロール装置設置部に取付部を介してマニュアルヒーターコントロール装置またはオートヒーターコントロール装置を選択的に取付けるヒーターコントロール装置取付構造において、前記取付部が、インストルメントパネルのヒーターコントロール装置設置部に設けられたインストルメントパネル側内外取付部と、マニュアルヒーターコントロール装置またはオートヒーターコントロール装置に設けられたコントロール装置取付部とを備え、前記インストルメントパネル側内外取付部が、ヒーターコントロール装置設置部に設けられた取付座部と、該取付座部に設けられた貫通孔と、該貫通孔の近傍に設けられたボスとを備え、該ボスは、パネル内側へ向けて突設されると共に、パネル外側に開口するボス孔を有し、前記マニュアルヒーターコントロール装置のコントロール装置取付部が、前記取付座部へインストルメントパネルのパネル内側から当接可能な舌片部と、該舌片部に設けられて、前記貫通孔に合致するネジ孔と、前記ボスを収容可能なロケート孔とを備え、前記オートヒーターコントロール装置のコントロール装置取付部が、前記取付座部へインストルメントパネルのパネル外側から当接可能な上記とは別の舌片部と、該舌片部に設けられて、前記貫通孔へ挿入可能なロケートピンと、前記ボスのボス孔に合致するネジ挿通孔とを備えることにより、マニュアルヒーターコントロール装置をインストルメントパネルのパネル内側から当接配置してパネル外側からネジ止め可能で、且つ、オートヒーターコントロール装置をインストルメントパネルのパネル外側から当接配置してパネル外側からネジ止め可能に構成されたことを特徴とする。
【発明の効果】
【００１１】
請求項１の発明によれば、上記構成を有するインストルメントパネル側内外取付部により、オートヒーターコントロール装置についてはインストルメントパネルのパネル外側から当接配置してパネル外側からネジ止めすることが可能となるので、オートヒーターコントロール装置に対する取付作業性を向上することができる。
【発明を実施するための最良の形態】
【００１２】
オートヒーターコントロール装置の取付作業性を向上し得るようにするという目的を、マニュアルヒーターコントロール装置をインストルメントパネルのパネル内側から当接配置してパネル外側からネジ止め可能で、且つ、オートヒーターコントロール装置をインストルメントパネルのパネル外側から当接配置してパネル外側からネジ止め可能なインストルメントパネル側内外取付部を備えるようにする、という手段で実現した。
【実施例】
【００１３】
以下、本発明を具体化した実施例について、図示例と共に説明する。
【００１４】
図１〜図３は、この発明の実施例を示すものである。なお、インストルメントパネルの構成は、図４のものと同様なので、図４を用いて説明する。
【００１５】
まず、構成を説明すると、自動車などの車両には、車室内の前部に、図４に示すようなインストルメントパネル１が設けられている。このインストルメントパネル１の車幅方向の中央部には、センター操作部が設けられる。このセンター操作部は、インストルメントパネル１の一般面よりも若干手前側に突き出した構成などとされており、センター操作部の手前側の面に相当するインストルメントパネル１の部分には、各種の規格化された機器を収容可能な開口部や切欠部が形成されている。このような開口部または切欠部の１つがヒーターコントロール装置設置部２とされる。このヒーターコントロール装置設置部２には、図１〜図３に示すように、マニュアルヒーターコントロール装置３またはオートヒーターコントロール装置４が選択的に取付けられる。
【００１６】
ここで、マニュアルヒーターコントロール装置３は、インストルメントパネル１の内部に設置される図示しない空調制御システムと、ワイヤなどの機械的操作ケーブルを介して接続されるものであり、しかも、この機械的操作ケーブルは、空調制御システムに対して取外せないように予め連結されている。これに対し、オートヒーターコントロール装置４は、上記空調制御システムと、電気的信号ケーブルを介して接続されるものであり、この電気的信号ケーブルは、空調制御システムに対しコネクタを介して着脱可能に構成され、組付前にはこのコネクタは取外されている。
【００１７】
そして、ヒーターコントロール装置設置部２と、マニュアルヒーターコントロール装置３またはオートヒーターコントロール装置４との間には、取付部５が設けられている。
【００１８】
この実施例のものでは、取付部５は、ヒーターコントロール装置設置部２に設けられたインストルメントパネル側内外取付部２１と、マニュアルヒーターコントロール装置３に設けられたコントロール装置側取付部２２、または、オートヒーターコントロール装置４に設けられたコントロール装置側取付部２３とを備えている。
【００１９】
このうち、インストルメントパネル側内外取付部２１は、マニュアルヒーターコントロール装置３をインストルメントパネル１のパネル内側１ａから当接配置してパネル外側１ｂからネジ止め可能で、且つ、オートヒーターコントロール装置４をインストルメントパネル１のパネル外側１ｂから当接配置してパネル外側１ｂからネジ止め可能な共用構造を備えている。
【００２０】
より具体的には、インストルメントパネル側内外取付部２１は、ヒーターコントロール装置設置部２の両側部に設けられた左右の取付座部２４と、各取付座部２４の上下の位置にそれぞれ設けられた合計４つの貫通孔２５と、各貫通孔２５の近傍にそれぞれ設けられたボス２６とを備えている。このボス２６は、パネル内側１ａへ向けて突設されている。このボス２６は、パネル外側１ｂに開口するボス孔２６ａを有すると共に、パネル内側１ａへ向けて若干縮径する抜きテーパ形状を有している。
【００２１】
これに対し、マニュアルヒーターコントロール装置３のコントロール装置側取付部２２は、マニュアルヒーターコントロール装置３の両側部の４箇所のコーナー部の近傍から車幅方向へ突設されて、上記取付座部２４へインストルメントパネル１のパネル内側１ａから当接可能な所要肉厚の舌片部２７と、各舌片部２７に設けられて、各貫通孔２５とそれぞれ対応するネジ孔２８と、各ボス２６を収容（挿入）可能なロケート孔２９とを備えている。ロケート孔２９は、各ボス２６の基部の外径とほぼ等しい径寸法に形成される。なお、マニュアルヒーターコントロール装置３の舌片部２７の近傍に、ヒーターコントロール装置設置部２の取付座部２４に対する係止爪部３０を設けても良い。この係止爪部３０は、取付座部２４をパネル外側１ｂから係止するものである。
【００２２】
一方、オートヒーターコントロール装置４のコントロール装置側取付部２３は、オートヒーターコントロール装置４の両側部の４箇所のコーナー部の近傍から車幅方向へ突設されて、上記取付座部２４へインストルメントパネル１のパネル外側１ｂから当接可能な所要肉厚の舌片部３３と、各舌片部３３に設けられて、各貫通孔２５へ挿入可能なロケートピン３４と、各ボス２６の軸心位置に形成されたボス孔２６ａとそれぞれ対応するネジ挿通孔３５とを備えている。なお、オートヒーターコントロール装置４の舌片部３３の近傍に、ヒーターコントロール装置設置部２の取付座部２４に対する係止爪部３６を設けても良い。この係止爪部３６は、取付座部２４をパネル内側１ａから係止するものである。
【００２３】
次に、この実施例の作用について説明する。
【００２４】
マニュアルヒーターコントロール装置３を取付ける場合には、図３に示すように、インストルメントパネル側内外取付部２１の取付座部２４へインストルメントパネル１のパネル内側１ａからコントロール装置側取付部２２の舌片部２７を当接し、この時、舌片部２７のロケート孔２９へボス２６を収容（挿入）することによって貫通孔２５とネジ孔２８とを位置決めし、両者間にパネル外側１ｂからネジ４０を螺着することにより、マニュアルヒーターコントロール装置３がヒーターコントロール装置設置部２にネジ止め固定される。
【００２５】
なお、マニュアルヒーターコントロール装置３では、機械的操作ケーブルが、空調制御システムに対して取外せないように予め連結されているので、取付けは、ほぼ従来通りにせざるを得ない。
【００２６】
これに対し、オートヒーターコントロール装置４を取付ける場合には、図４に示すように、インストルメントパネル側内外取付部２１の取付座部２４へインストルメントパネル１のパネル外側１ｂからコントロール装置側取付部２３の舌片部３３を当接し、この時、貫通孔２５へ舌片部３３のロケートピン３４を挿入することによってネジ挿通孔３５とボス孔２６ａとを位置決めし、両者間にパネル外側１ｂからネジ４０を螺着することにより、オートヒーターコントロール装置４がヒーターコントロール装置設置部２にネジ止め固定される。
【００２７】
なお、オートヒーターコントロール装置４の取付後に、電気的信号ケーブルをコネクタを介して空調制御システムに接続する。
【００２８】
このように、この実施例によれば、インストルメントパネル側内外取付部２１により、オートヒーターコントロール装置４についてはインストルメントパネル１のパネル外側１ｂから当接配置してパネル外側１ｂからネジ止めすることが可能となるので、オートヒーターコントロール装置４に対する取付作業性を向上することができる。
【００２９】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００３０】
【図１】本発明の実施例にかかるヒーターコントロール装置取付構造の部分拡大斜視図である。
【図２】マニュアルヒーターコントロール装置を取付けた場合の水平断面図である。
【図３】オートヒーターコントロール装置を取付けた場合の水平断面図である。
【図４】インストルメントパネルに設けられたヒーターコントロール装置設置部の斜視図である。
【図５】従来例にかかるヒーターコントロール装置取付構造の部分拡大斜視図である。
【図６】図５の水平断面図である。
【符号の説明】
【００３１】
１    インストルメントパネル
１ａ  パネル内側
１ｂ  パネル外側
２    ヒーターコントロール装置設置部
３    マニュアルヒーターコントロール装置
４    オートヒーターコントロール装置
５    取付部
２１  インストルメントパネル側内外取付部
【図１】
0004728094.tif 000002
【図２】
0004728094.tif 000003
【図３】
0004728094.tif 000004
【図４】
0004728094.tif 000005
【図５】
0004728094.tif 000006
【図６】
0004728094.tif 000007